(57)【要約】【課題】既存型のアナログテレビジョンセットを用いて地上波ディジタル放送局の番組を視聴できるようにする。【解決手段】アンテナにより受信された地上波ディジタル受信信号に含まれている複数の地上波ディジタル放送局の１つを選択して既存型のアナログコンポジットＲＦ信号でなる変換アナログ受信信号に変換して、既存型のアナログテレビジョンセットにおいて映出するようにしたことにより、ユーザがアナログ放送システムにおいて行ってきた選局操作と同じような操作をするだけで、地上波ディジタル放送の視聴ができる地上波ディジタルテレビジョン受信装置を得ることができる。【選択図】図１
2008160815.tif 000002
【特許請求の範囲】
【請求項１】
既存型のリモートコントローラと、
上記既存型のリモートコントローラのコマンド信号に応じてアンテナに受信した地上波ディジタル受信信号に含まれている複数の地上波ディジタル放送局の１つを選択して既存型のアナログコンポジットＲＦ信号でなる変換アナログ受信信号に変換するディジタル／アナログコンバータと、
上記変換アナログ受信信号を入力して上記選局された地上波ディジタル放送局の１つの番組を上記既存型のリモートコントローラのコマンド信号に応じて映出する既存型のアナログテレビジョンセットと
を具えることを特徴とする地上波ディジタルテレビジョン受信装置。
【請求項２】
既存型のリモートコントローラのコマンド信号に応じてアンテナに受信した地上波ディジタル受信信号に含まれている複数の地上波ディジタル放送局の１つを選択して既存型のアナログコンポジットＲＦ信号でなる変換アナログ受信信号に変換し、当該変換した変換アナログ信号を上記既存型のリモートコントローラのコマンド信号によって上記選択された上記地上波ディジタル放送局と同じ放送局を選局する既存型のアナログテレビジョンセットに与える
ことを特徴とするディジタル／アナログコンバータ。
【請求項３】
既存型のリモートコントローラと、
上記既存型のリモートコントローラのコマンド信号に応じてアンテナに受信した地上波ディジタル受信信号に含まれている複数の地上波ディジタル放送局の１つをそれぞれ選局して既存型のアナログコンポジットＲＦ信号でなる変換アナログ受信信号にそれぞれ変換する複数のディジタル／アナログコンバータと、
上記複数のディジタル／アナログコンバータから出力される上記変換アナログ受信信号を混合する混合器と、
上記混合器の混合出力を入力して上記既存型のリモートコントローラのコマンド信号に応じて上記複数の地上波ディジタル放送局の１つの番組を映出するアナログテレビジョンセットと
を具えることを特徴とする地上波ディジタルテレビジョン受信装置。
【請求項４】
既存型のリモートコントローラのコマンド信号に応じてアンテナに受信した地上波ディジタル受信信号に含まれている複数の地上波ディジタル放送局の１つをそれぞれ選局して既存型のアナログコンポジットＲＦ信号でなる変換アナログ受信信号にそれぞれ変換する複数のディジタル／アナログコンバータと、
上記アンテナの受信信号を受けて上記地上波ディジタル受信信号だけを通過させる地上波ディジタルテレビジョン信号用フィルタと、
上記地上波ディジタルテレビジョン信号用フィルタを通過した上記地上波ディジタル受信信号と、上記複数のディジタル／アナログコンバータから出力される上記変換アナログ受信信号とを混合する混合器と
を具えることを特徴とする地上波ディジタルテレビジョン受信ユニット。
【請求項５】
上記ディジタル／アナログコンバータは、
上記アンテナに受信した地上波ディジタル受信信号を直交周波数分割（ＯＦＤＭ）信号に変換するディジタル受信部と、
上記直交周波数分割（ＯＦＤＭ）信号をＭＰＥＧ処理信号に変換するＯＦＤＭ復調部と、
上記ＭＰＥＧ処理信号をＭＰＥＧ逆変換して復調テレビジョン信号を得るＭＰＥＧデコード部と、
上記復調テレビジョン信号を上記既存のアナログコンポジットＲＦ信号でなる変換アナログ受信信号に変調して上記ディジタル／アナログコンバータの出力として送出するアナログ変調部と
を具えることを特徴とする請求項１又は３に記載の地上波ディジタルテレビジョン受信装置。
【請求項６】
上記アンテナに受信した地上波ディジタル受信信号を直交周波数分割（ＯＦＤＭ）信号に変換するディジタル受信部と、
上記直交周波数分割（ＯＦＤＭ）信号をＭＰＥＧ処理信号に変換するＯＦＤＭ復調部と、
上記ＭＰＥＧ処理信号をＭＰＥＧ逆変換して復調テレビジョン信号を得るＭＰＥＧデコード部と、
上記復調テレビジョン信号を上記既存のアナログコンポジットＲＦ信号でなる変換アナログ受信信号に変調して上記ディジタル／アナログコンバータの出力として送出するアナログ変調部と
を具えることを特徴とする請求項２に記載のディジタル／アナログコンバータ。
【請求項７】
上記ディジタル／アナログコンバータは、
上記アンテナに受信した地上波ディジタル受信信号を直交周波数分割（ＯＦＤＭ）信号に変換するディジタル受信部と、
上記直交周波数分割（ＯＦＤＭ）信号をＭＰＥＧ処理信号に変換するＯＦＤＭ復調部と、
上記ＭＰＥＧ処理信号をＭＰＥＧ逆変換して復調テレビジョン信号を得るＭＰＥＧデコード部と、
上記復調テレビジョン信号を上記既存のアナログコンポジットＲＦ信号でなる変換アナログ受信信号に変調して上記ディジタル／アナログコンバータの出力として送出するアナログ変調部と
を具えることを特徴とする請求項４に記載の地上波ディジタルテレビジョン受信ユニット。
【請求項８】
ユーザによって選局されたチャンネルに対応する受信指令信号を発生する設定入力部と、
アンテナに受けた地上波ディジタルテレビジョン信号のうち上記設定入力部からの受信指令信号に対応する１つのチャンネルをチューナ部において同調してディジタルテレビジョン信号を得、該ディジタルテレビジョン信号をＯＦＤＭ復調部においてＯＦＤＭ逆変換した後ＭＰＥＧデコード部においてＭＰＥＧ逆変換して復調テレビジョン信号を得る受信ユニットと、
上記復調テレビジョン信号をＮＴＳＣ変換するＮＴＳＣ変換部と、
上記ＮＴＳＣ変換部の出力を上記設定入力部からの受信指令信号に応じて上記１つのチャンネルに対応する周波数の搬送波によって変調して変換アナログテレビジョン受信信号を出力する変調器部と
を具えることを特徴とするディジタル／アナログコンバータ。
【請求項９】
ユーザによって選局されたチャンネルに対応する受信指令信号を発生する設定入力部と、
アンテナに受けた地上波ディジタルテレビジョン信号のうち上記設定入力部からの受信指令信号に対応する１つのチャンネルをチューナ部において同調してディジタルテレビジョン信号を得、該ディジタルテレビジョン信号をＯＦＤＭ復調部においてＯＦＤＭ逆変換した後ＭＰＥＧデコード部においてＭＰＥＧ逆変換して復調テレビジョン信号を得る受信ユニットと、
上記復調テレビジョン信号をＮＴＳＣ変換するＮＴＳＣ変換部と、
上記ＮＴＳＣ変換部の出力を上記設定入力部からの受信指令信号に応じて上記１つのチャンネルに対応する周波数の搬送波によって変調して変換アナログテレビジョン受信信号を出力する変調器部と、
上記変調器部から得られる上記変換アナログテレビジョン受信信号と、第１の外部接続端子から入力されたアナログテレビジョン信号とを混合してなる混合出力信号を第２の外部接続端子から出力する混合器部と
を具えることを特徴とするディジタル／アナログコンバータ。
【請求項１０】
ユーザによって選局されたチャンネルに対応する受信指令信号を発生する設定入力部と、
アンテナに受けた地上波ディジタルテレビジョン信号のうち上記設定入力部からの受信指令信号に対応する１つのチャンネルをチューナ部において同調してディジタルテレビジョン信号を得、該ディジタルテレビジョン信号をＯＦＤＭ復調部においてＯＦＤＭ逆変換した後ＭＰＥＧデコード部においてＭＰＥＧ逆変換して復調テレビジョン信号を得る受信ユニットと、
上記復調テレビジョン信号をＮＴＳＣ変換するＮＴＳＣ変換部と、
上記ＮＴＳＣ変換部の出力を上記設定入力部からの受信指令信号に応じて上記１つのチャンネルに対応する周波数の搬送波によって変調して変換アナログテレビジョン受信信号を出力する変調器部と、
上記変調器部から得られる上記変換アナログテレビジョン受信信号と、第１の外部接続端子から入力されたアナログテレビジョン信号とを混合してなる混合出力信号を第２の外部接続端子から出力する混合器部と
を有する少なくとも２つのディジタル／アナログコンバータを有し、
上記２つのディジタル／アナログコンバータの一方の上記第１の外部接続端子から得られる上記混合出力信号を、上記２つのディジタル／アナログコンバータの他方の上記第２の外部接続端子に与えることにより、当該他方のディジタル／アナログコンバータの上記第１の外部接続端子から、上記第１及び第２のディジタル／アナログコンバータの受信ユニットにおいてそれぞれ得た上記復調テレビジョン信号に対応するチャンネルの上記変換アナログディジタル信号を互いに混合してなる混合出力信号を送出する
ことを特徴とする地上波ディジタルテレビジョン受信システム。
【発明の詳細な説明】
【技術分野】
【０００１】
本発明は地上波ディジタルテレビジョン受信装置に関し、特にアナログテレビジョン放送を受信できる家庭用テレビジョン受信機を用いて、その受信操作を変更することなく、各チャンネルの地上波ディジタル放送番組を視聴することができるようにするものである。
【背景技術】
【０００２】
従来の地上波テレビジョン放送システムは、各局の放送番組をそれぞれに割り当てられたＶＨＦ・ＵＨＦ周波数帯の搬送波をアナログ変調方式で変調してアナログコンポジットＲＦ（Radio  Frequency）信号として放送し、アナログ放送局選択用のリモートコントローラ（これを既存型のリモートコントローラ、又は既存型のリモコンと呼ぶ）によってユーザが受信操作をすることにより、各家庭用テレビジョン受信機に内蔵されているチューナで当該搬送波を選局して復調し、これによりユーザが各番組内容を視聴できるようになされている（非特許文献１参照）。
【非特許文献１】「ＮＨＫカラーテレビ教科書（上）」、昭和５５年４月１０日  第９刷発行、日本放送協会編、発行所  日本放送出版協会。
【発明の開示】
【発明が解決しようとする課題】
【０００３】
ところで現在、テレビジョン放送システムとして、従来の地上波アナログテレビジョン放送システムを地上波ディジタルテレビジョン放送システムに切り換える計画が進んでおり、地上波ディジタルテレビジョン方式として、各放送局の放送番組を直交周波数分割多重（ＯＦＤＭ：Orthogonal  Frequency  Division  Multiplexing）方式によって分割された複数の周波数帯を割り当てられたマルチチャンネルに多重化して放送する方式が採用されている。
【０００４】
この地上波ディジタルテレビジョン放送は、従来の家庭用テレビジョン受信機、すなわち既存のアナログテレビジョン受信機によっては直接に受信することはできないため、これまで使い慣れてきたユーザに多大に不便を強いるおそれがある。
【０００５】
本発明は以上の点を考慮してなされたもので、従来から使用されている家庭用テレビジョン受信機を用いて、その受信操作を変更することなく各チャンネルの地上波ディジタル放送の各番組を視聴できるようにした地上波ディジタルテレビジョン受信装置を提案しようとするものである。
【課題を解決するための手段】
【０００６】
かかる課題を解決するため本発明においては、既存型のリモートコントローラ５と、既存型のリモートコントローラ５のコマンド信号Ｓ３に応じてアンテナ２に受信した地上波ディジタル受信信号Ｓ１に含まれている複数の地上波ディジタル放送局の１つを選択して既存型のアナログコンポジットＲＦ信号でなる変換アナログ受信信号Ｓ２に変換するディジタル／アナログコンバータ３と、変換アナログ受信信号Ｓ２を入力して選局された地上波ディジタル放送局の１つの番組を既存型のリモートコントローラ５のコマンド信号Ｓ３に応じて映出する既存型のアナログテレビジョンセット４とを設けるようにする。
【発明の効果】
【０００７】
本発明によれば、アンテナにより受信された地上波ディジタル受信信号に含まれている複数の地上波ディジタル放送局の１つを選択して既存型のアナログコンポジットＲＦ信号でなる変換アナログ受信信号に変換して、既存型のアナログテレビジョンセットにおいて映出するようにしたことにより、ユーザがアナログ放送システムにおいて行ってきた選局操作と同じような操作をするだけで、地上波ディジタル放送の視聴ができる地上波ディジタルテレビジョン受信装置を得ることができる。
【発明を実施するための最良の形態】
【０００８】
以下図面について、本発明の一実施の形態を詳述する。
【０００９】
（１）第１の実施の形態
図１において、１は全体として地上波ディジタルテレビジョン受信装置を示し、アンテナ２において受信した地上波ディジタル受信信号Ｓ１をディジタル／アナログコンバータ３に入力し、当該ディジタル／アナログコンバータ３において地上波ディジタル受信信号Ｓ１を変換アナログ受信信号Ｓ２に変換してアナログテレビジョンセット４に供給する。
【００１０】
アナログテレビジョンセット４は、地上波ディジタルテレビジョン放送システムに切り換えられる前に採用されていた地上波アナログテレビジョン放送システムにおいてアンテナから受信したアナログ放送波信号（これを既存型のアナログコンポジットＲＦ（Radio  Frequency)信号と呼ぶ）が入力されたとき、当該既存型のアナログコンポジットＲＦ信号に含まれている各局の放送波を、内蔵するチューナによって選択的に復調して、ユーザに視聴させる既存型のアナログテレビジョンセットによって構成されている。
【００１１】
ディジタル／アナログコンバータ３及びアナログテレビジョンセット４に対する操作機として、リモートコントローラ（以下リモコンと呼ぶ）５が設けられている。
【００１２】
リモコン５は、アナログテレビジョンセット４に設けられているリモコン受信機６に対して選局・音量調整信号等でなるコマンド信号Ｓ３を送出し、これにより従来のアナログテレビジョン放送を受信するのと同じ操作をすることにより内蔵するチューナの選局動作や音量調整動作などを行わせる既存型のリモコンによって構成されている。
【００１３】
リモコン５はコマンド信号Ｓ３をアナログテレビジョンセット４のリモコン受信機６に与えたとき、これと同時にコマンド信号Ｓ３をディジタル／アナログコンバータ３のリモコン受信機７にも与える。
【００１４】
リモコン受信機７は、既存型のリモコンによって構成されたリモコン５からのコマンド信号Ｓ３（これを既存型のコマンド信号と呼ぶ）を受信したとき、ディジタル／アナログコンバータ３に対して、当該既存型のコマンド信号Ｓ３によってアナログテレビジョンセット４が選択した放送局と同じ放送局のチャンネルを選択させるようなコマンド信号を与える。
【００１５】
ディジタル／アナログコンバータ３は、図２に示すように、コマンド信号Ｓ３をリモコン受信機７に受信したとき、制御用中央処理ユニット（ＣＰＵ）１１に選局・音量調整などの制御信号Ｓ４を与える。
【００１６】
制御用ＣＰＵ１１はプログラムメモリ１２のプログラムデータに基づいて制御処理を実行し、これによりバス１３を介してディジタル受信部１４、ＯＦＤＭ復調部１５、ＭＰＥＧデコード部１６及びアナログ変調部１７を応動動作させる。
【００１７】
ディジタル受信部１４は、アンテナ２から受信した地上波ディジタルテレビジョン信号Ｓ１に基づいて、そのディジタル変調搬送波周波数信号（ＲＦ（Radio  Frequency)周波数帯域の信号でなる）を基底帯域信号（ベースバンド信号（Baseband  Signal)でなる）の直交周波数分割（ＯＦＤＭ：Orthogonal  Frequency  Division  Multiplexing）信号Ｓ１１に戻してＯＦＤＭ復調部１５に与える。
【００１８】
ＯＦＤＭ復調部１５は直交周波数分割信号Ｓ１１をＯＦＤＭ逆変換することによりコマンド信号Ｓ３によって選択された放送局のチャンネル信号でなるＭＰＥＧ処理信号Ｓ１２を得、これをＭＰＥＧデコード部１６に与える。
【００１９】
ＭＰＥＧデコード部１６は、ＭＰＥＧ処理信号Ｓ１２をＭＰＥＧ逆変換することにより復調テレビジョン信号Ｓ１３を得、これをアナログ変調部１７に与える。
【００２０】
アナログ変調部１７は、復調テレビジョン信号Ｓ１３を、当該選択された放送局に割り当てられた搬送波周波数信号によってアナログ変調をし、これにより既存型のアナログコンポジットＲＦ信号でなる変換アナログ受信信号Ｓ２を当該ディジタル／アナログコンバータ３の出力端から送出する。
【００２１】
以上の構成において、ディジタル／アナログコンバータ３は、入力された地上波ディジタル受信信号Ｓ１のうち、リモコン５のコマンド信号Ｓ３によってリモコン受信機７に指定された放送局に対応するチャンネルのＭＰＥＧ処理信号Ｓ１２をＯＦＤＭ復調部１５で復調した後、ＭＰＥＧデコード部１６を介して復調テレビジョン信号Ｓ１３を得、当該指定されたチャンネルの復調テレビジョン信号Ｓ１３をアナログ変調部１７において当該チャンネルに割り当てられた搬送波周波数信号によってアナログ変調した信号としてディジタル／アナログコンバータ３から既存型のアナログコンポジットＲＦ信号でなる変換アナログ受信信号Ｓ２としてアナログテレビジョンセット４に供給することになる。
【００２２】
このときアナログテレビジョンセット４のリモコン受信機６にはリモコン５からコマンド信号Ｓ３が与えられていることにより、当該指定されたチャンネルのチューナが選択されることにより、アナログテレビジョンセット４は当該選択されたチャンネルの番組をユーザに提示することができる。
【００２３】
以上の構成によれば、ユーザは、従来の地上波アナログテレビジョン放送システムにおいて行っていたと同様の操作をするだけで、当該操作によって視聴していたチャンネルの番組を、地上波ディジタル受信信号Ｓ１の中から選局して既存型のアナログテレビジョンセット４によって視聴することができる。
【００２４】
例えばユーザが地上波アナログテレビジョン放送システムにおいて行っていたと同様に、例えばアナログ「ＮＨＫテレビ」（１チャンネル）を既存型のリモコン５によって選局操作をすれば、ディジタル／アナログコンバータ３は地上波ディジタル受信信号Ｓ１のうちから２７チャンネルに割り当てられている「ＮＨＫデジタル総合テレビ・東京」の番組をＯＦＤＭ復調部１５において選択してこれを既存型のアナログコンポジットＲＦ信号でなる変換アナログ受信信号Ｓ２として既存型のアナログテレビジョンセット４に供給することにより、ユーザが視聴したい番組を従来の操作と同じ操作で視聴することができる。
【００２５】
かくして従来用いられていたアナログテレビジョンセットを用いて地上波ディジタル放送を受信できる地上波ディジタルテレビジョン受像装置１を得ることができる。
【００２６】
（２）第２の実施の形態
図３は、第２の実施の形態を示すもので、図２との対応部分に同一符号を付して示すように、ディジタル／アナログコンバータ３はＭＰＥＧデコード部１６からディジタル記録データＳ２１を送出し、これを制御用ＣＰＵ１１から与えられる制御信号Ｓ２２によって制御されるレコーダインタフェイス２１を介してハードディスク装置２２に記録する。
【００２７】
図３の構成において、ユーザがリモコン５のコマンド信号Ｓ３によってアナログテレビジョンセット４及びディジタル／アナログコンバータ３に対して選局信号を与えることにより、アナログテレビジョンセット４によって地上波ディジタル受信信号Ｓ１から選択した番組を視聴すると同時に、レコーダインタフェイス２１を介してハードディスク装置２２に現在視聴している番組に対応するディジタル記録データＳ２１を記録することができる。
【００２８】
かくして地上波ディジタルテレビジョン受信装置１として、既存型のアナログテレビジョンセット４を用いながら、さらに地上波ディジタルテレビジョン受信装置１の機能を一段と多機能化できる。
【００２９】
このとき、ディジタル／アナログコンバータ３からＭＰＥＧデコード部１６の出力端に得られる復調テレビジョン信号Ｓ１３をビデオ・オーディオ増幅部２３を介してモニタとして設けられた外部テレビジョン受像機２４に対する外部テレビジョン信号Ｓ２４を送出するようにすれば、ユーザは既存型のアナログテレビジョン方式の外部テレビジョン受像機２４を有効に利用して受信しているディジタル番組を、外部テレビジョン受像機２４においてモニタしながらハードディスク装置２２に記録できることにより地上波ディジタルテレビジョン受信装置１としての機能をさらに一段と多機能化できる。
【００３０】
（３）第３の実施の形態
図４は、第３の実施の形態を示すもので、図３との対応部分に同一符号を付して示すように、制御用ＣＰＵ１１に対してリモコン送信機３１からコマンド信号Ｓ３１を入力できるようにすると共に、リモコン送信機３１から外部機器、例えばアナログテレビジョンセット４及びディジタル／アナログコンバータ３以外の機器、例えばビデオテープレコーダにコマンド信号Ｓ３２を送信すると共に、ディジタル／アナログコンバータ３内に時計３２及びメモリ３３を設ける。
【００３１】
以上の構成において、ユーザは、リモコン送信機３１からコマンド信号Ｓ３１を制御用ＣＰＵ１１に与えることによりメモリ３３に予約録画の情報を書き込み、その後時計３２によって予約時間になったとき、制御用ＣＰＵ１１がレコーダインタフェイス２１を介してハードディスク装置２２に地上波ディジタル受信信号Ｓ１から予約した番組を記録する。
【００３２】
これと共に、制御用ＣＰＵ１１はリモコン送信機３１から外部コマンド信号Ｓ３２を送出させ、これにより外部のビデオテープレコーダを連携動作させることができる。
【００３３】
以上の構成によれば、地上波ディジタルテレビジョン受信装置１として、さらに一段と多機能化したものが得られる。
【００３４】
（４）第４の実施の形態
図５は、第４の実施の形態を示すもので、図１との対応部分に同一符号を付して示すように、アンテナ２によって受信した地上波ディジタル受信信号Ｓ１を複数のチャンネル受信用ディジタル／アナログコンバータ３５Ａ、３５Ｂ……３５Ｇに入力する。
【００３５】
各チャンネル受信用ディジタル／アナログコンバータ３５Ａ、３５Ｂ……３５Ｇは、予め割り当てられた地上波ディジタル放送局信号を選択的に既存型のアナログコンポジットＲＦ信号に変換して対応する変換アナログ受信信号Ｓ３５Ａ、３５Ｂ……Ｓ３５Ｇを混合器３６に送出する。
【００３６】
例えばチャンネル受信用ディジタル／アナログコンバータ３５Ａは、地上波ディジタル受信信号Ｓ１から地上波ディジタル放送局「ＮＨＫデジタル総合テレビ・東京」に割り当てられた２７チャンネルの放送波を選択して地上波アナログ放送局「ＮＨＫテレビ」（１チャンネル）の既存型のアナログコンポジットＲＦ信号でなる変換アナログ受信信号Ｓ３５Ａに変換する。
【００３７】
また第２のチャンネル受信用ディジタル／アナログコンバータ３５Ｂは、地上波ディジタル受信信号Ｓ１から地上波ディジタル放送局「ＮＨＫデジタル教育テレビ・東京」に割り当てられた２６チャンネルの地上波ディジタル信号を選択して地上波アナログ放送局「ＮＨＫ教育テレビ」放送局（３チャンネル）の既存型のアナログコンポジットＲＦ信号でなる変換アナログ受信信号Ｓ３５Ｂに変換する。
【００３８】
以下同様にして、チャンネル受信用ディジタル／アナログコンバータ３５Ｃ、３５Ｄ、３５Ｅ、３５Ｆ及び３５Ｇは、それぞれ「日本テレビ」、「ＴＢＳテレビ」、「フジテレビ」、「テレビ朝日」及び「テレビ東京」に割り当てられた２５チャンネル、２２チャンネル、２１チャンネル、２４チャンネル及び２３チャンネルの地上波ディジタルテレビジョン信号を選択してそれぞれ対応する地上波アナログテレビジョン放送局のチャンネル番号、４チャンネル、６チャンネル、８チャンネル、１０チャンネル及び１２チャンネルの既存型のアナログコンポジットＲＦ信号でなる変換アナログ受信信号Ｓ３５Ｃ、Ｓ３５Ｄ、Ｓ３５Ｅ、Ｓ３５Ｆ及びＳ３５Ｇを混合器３６に供給する。
【００３９】
以上の構成に加えて、アンテナ２に受信された地上波ディジタル受信信号Ｓ１は、地上波ディジタルテレビジョン信号用フィルタ３７を介して混合器３６に供給される。
【００４０】
この結果混合器３６の出力端には、チャンネル受信用ディジタル／アナログコンバータ３５Ａ、３５Ｂ……３５Ｇから得られる既存型のアナログコンポジットＲＦ信号でなる変換アナログ受信信号Ｓ３５Ａ、Ｓ３５Ｂ……Ｓ３５Ｇと、地上波ディジタルテレビジョン受信用フィルタ３７の出力端に得られる地上波ディジタル受信フィルタリング信号Ｓ３７とを混合してなる放送波受信信号Ｓ３６が得られる。
【００４１】
この放送波受信信号Ｓ３６は分配用ケーブルライン３８を介してアナログテレビジョンセット３９Ａ及び３９Ｂ並びにディジタルテレビジョンセット４０Ａ及び４０Ｂに供給される。
【００４２】
以上の構成において、混合器３６から分配用ケーブルライン３８に供給される放送波受信信号Ｓ３６は、地上波ディジタル受信信号Ｓ１の各地上波ディジタル放送局の放送波を既存型のアナログコンポジットＲＦ信号に変換してなる変換アナログ受信信号Ｓ３５Ａ〜Ｓ３５Ｇと、当該変換前の地上波ディジタル受信信号Ｓ１とを含んでいるので、アナログテレビジョンセット３９Ａ及び３９Ｂに対してアナログテレビジョンセット専用の既存型のリモコン４１Ａ及び４１Ｂを使用して選局操作をすれは、地上波ディジタル放送導入前の地上波アナログ放送システムにおいて行われていた選局操作と同様の選局操作をするだけで地上波ディジタル放送局の番組を視聴できる。
【００４３】
この場合地上波ディジタル受信信号Ｓ１に対応するディジタルテレビジョンセット４０Ａ及び４０Ｂについては、ディジタルテレビジョンセット専用のリモコン４２Ａ及び４２Ｂによって選局操作をすれば、当該ディジタルテレビジョンセット４０Ａ及び４０Ｂによって直接地上波ディジタル放送局の番組を視聴できる。
【００４４】
かくして図５の構成によれば、例えばマンション等の集合住宅において、共用のアンテナ２に対して、各戸に共通に、チャンネル受信用ディジタル／アナログコンバータ３５Ａ〜３５Ｇと、地上波ディジタルテレビジョン信号用フィルタ３７と、混合器３６とを有する地上波ディジタルテレビジョン受信ユニット３９を設置すれば、各家庭ごとにディジタルテレビジョンセット４０Ａ、４０Ｂ以外の既存型のアナログテレビジョンセット３９Ａ、３９Ｂが混在するように分配用ケーブルライン３８に接続されているような場合でも、既存型のアナログテレビジョンセット３９Ａ、３９Ｂについては従来の操作と同様の操作によって地上波ディジタル放送局の番組を視聴できる。
【００４５】
（５）第５の実施の形態
図６は、第５の実施の形態を示すもので、図１との対応部分に同一符号を付して示すように、アンテナ２によって受信した地上波ディジタル受信信号Ｓ１をアナログテレビジョンセット４に対するディジタル／アナログコンバータ３に入力することに加えて、録画部５１を構成する録画用ディジタル／アナログコンバータ５２及びタイマ付き録画用ディジタル／アナログコンバータ５３にも供給する。
【００４６】
録画用ディジタル／アナログコンバータ５２は図２について上述したディジタル／アナログコンバータ３と同様の構成を有し、これにより既存型リモコン５４のコマンド信号Ｓ１０によって出力端に既存型のアナログコンポジットＲＦ信号でなる変換アナログ受信信号Ｓ５２を送出できる。
【００４７】
これに対してタイマ付き録画用ディジタル／アナログコンバータ５３は、図４について上述したタイマ機能付きのディジタル／アナログコンバータ３と同様の構成を有し、これにより時計を用いた予約録画に応じて地上波ディジタル受信信号Ｓ１から選択した既存型のアナログコンポジットＲＦ信号でなる変換アナログ受信信号Ｓ５３をビデオテープレコーダ５５に供給する。
【００４８】
かくして録画用ディジタル／アナログコンバータ５２又はタイマ付き録画用ディジタル／アナログコンバータ５３の出力端には、それぞれ既存型のアナログコンポジットＲＦ信号が得られることにより、ビデオテープレコーダ５５として既存型のアナログビデオテープレコーダを用いることにより既存型のビデオテープレコーダにおいて用いられていた操作と同様の操作によって地上波ディジタル放送局の番組を録画記録することができると共に、必要に応じて当該録画記録された既存型のアナログコンポジットＲＦ信号をビデオテープレコーダ５５から読み出してモニタとして機能するアナログテレビジョンセット５６において視聴することができる。
【００４９】
かくして図６の構成によれば、ユーザは既存型リモコン５４を用いて地上波ディジタル受信信号Ｓ１に含まれるディジタル放送局の番組を視聴しながら、当該番組又はその他の番組をビデオテープレコーダ５５に録画記録することができ、当該録画記録した地上波ディジタル放送局の番組を必要に応じてアナログテレビジョンセット５６によって視聴することができる。
【００５０】
かくするにつき、ビデオテープレコーダ５５への記録及びアナログテレビジョンセット５６への映出を既存型リモコン５４を用いて従来の地上波アナログ放送システムにおいて用いられていた手法と同じ手法で地上波ディジタル放送局の番組の視聴をすることができる。
【００５１】
図７は図６の変形例を示すもので、この場合既存型リモコン５４から送出されるコマンド信号Ｓ１０を変換アダプタ５７によってＧコードコマンド信号Ｓ１１に変換して出力する。
【００５２】
この変換アダプタ５７は録画記録すべき番組にそれぞれ割り当てられている番組指定用Ｇコードに変換することにより、当該Ｇコードによって指定された番組をビデオテープレコーダ５５に記録する。
【００５３】
このようにしても図６について上述したと同様に既存のビデオテープレコーダ５５及びアナログテレビジョンセット５６を従来の操作と同様の操作をすることによって録画記録したい地上波ディジタル放送局の番組を必要に応じて録画記録することができる。
【００５４】
図８は図７のさらに他の変形例を示すもので、図７との対応部分に同一符号を付して示すように、タイマ付き録画用ディジタル／アナログコンバータ５３のリモコン受信機６０として、既存型リモコン５４のコマンド信号Ｓ１０をＧコードに変換して地上波ディジタル受信信号Ｓ１から選択した放送局の番組の地上波ディジタル受信信号を既存型のアナログコンポジットＲＦ信号Ｓ５３に変換してビデオテープレコーダ５５に供給すると共に、当該変換したＧコードコマンド信号Ｓ１２を信号ライン６１及びリモコン用トランスミッタ６２を介してリモコン受信機６３に与える。
【００５５】
以上の構成によれば、ユーザは、既存型リモコン５４によって予約録画すべき番組についてのコマンド操作をタイマ付き録画用ディジタル／アナログコンバータ５３に対して行うだけで、変換したＧコードコマンド信号によって対応する番組をタイマ付き録画用ディジタル／アナログコンバータ５３によって選択させることができると共に、リモコン受信機６０から送出したＧコードコマンド信号Ｓ１２をビデオテープレコーダ５５のリモコン受信機６３に与えることにより、当該Ｇコードコマンド信号Ｓ１２によって指定された番組をビデオテープレコーダ５５に記録させることができる。
【００５６】
なお、図８の構成において、リモコン受信機６０から信号ライン６１、リモコン用トランスミッタ６２を介してリモコン受信機６３にＧコードコマンド信号Ｓ１２を供給する構成に代えて、リモコン受信機６０から無線、例えば赤外線のＧコードコマンド信号を出射し、例えば壁に設けたミラーによって反射させてリモコン受信機６３に伝送させるようにしても良く、このようにすれば、当該Ｇコードコマンド信号の供給路を一段と簡略化できる。
【００５７】
（６）第６の実施の形態
図９は第６の実施の形態を示すもので、地上波ディジタルテレビジョン受信装置１０１は、アンテナ１０２において受信した地上波ディジタルテレビジョン信号Ｓ１０１を、ディジタル／アナログコンバータ本体１０５の外部接続端子Ｔ１０１を介してディジタル／アナログコンバータ１０３に入力し、当該ディジタル／アナログコンバータ１０３において地上波ディジタルテレビジョン信号Ｓ１０１を変換アナログ受信信号Ｓ１０２に変換して外部接続端子Ｔ１０２を介して上述のアナログテレビジョンセット４（図１）と同様の既存型のアナログテレビジョンセット１０４に供給する。
【００５８】
ディジタル／アナログコンバータ本体１０５は、設定入力部１０６から受信指令信号Ｓ１０３を受けたとき、これを受信ユニット１１５のバス１１１を介してチューナ部１１２、ＯＦＤＭ復調部１１３及びＭＰＥＧデコード部１１４に与えることにより、チューナ部１１２においてアンテナ１０２から受信した地上波ディジタルテレビジョン信号Ｓ１０１から受信指令信号Ｓ１０３において指令されたチャンネルのディジタルテレビジョン信号Ｓ１１１を受信してＯＦＤＭ復調部１１３においてＯＦＤＭ逆変換することによりＯＦＤＭ出力信号Ｓ１１２をＭＰＥＧデコード部１１４に与える。
【００５９】
ＭＰＥＧデコード部１１４は入力されたＯＦＤＭ出力信号Ｓ１１２をＭＰＥＧ逆変換することにより復調テレビジョン信号Ｓ１１３に復調してそれを受信ユニット１１５の出力としてＮＴＳＣ変換部１１６に与える。
【００６０】
ＮＴＳＣ変換部１１６は、与えられた復調テレビジョン信号Ｓ１１３をＮＴＳＣ標準テレビジョン方式の信号でなるＮＴＳＣ信号Ｓ１１４に変換して変調器部１１７に与えられる。
【００６１】
変調器部１１７は、設定入力部１０６の受信指令信号Ｓ１０３によって指令されたチャンネルに対応する周波数の搬送波信号Ｓ１１５をシンセサイザ１１８から受け、ＮＴＳＣ信号Ｓ１１４を当該搬送波信号Ｓ１１５によって変調して変換アナログ受信信号Ｓ１０２としてアナログテレビジョンセット１０４に送出する。
【００６２】
かくしてユーザは、受信ユニット１１５において得られた復調テレビジョン信号Ｓ１１３を、既存型のアナログテレビジョンセット１０４によって選局して視聴できる。
【００６３】
この実施の形態の場合設定入力部１０６は、制御処理ユニット（ＭＰＵ）１２６を有し、この制御処理ユニット１２６にリモコン受信機１２１を介してリモコン１２２から与えられる指令信号Ｓ１２１（選局信号や音量信号など）に基づいて当該指令内容に対応する受信指令信号Ｓ１０３を送出する。
【００６４】
この実施の形態の場合、設定入力部１０６には、設定用スイッチ１２３及びスマートカードインタフェイス１２４が設けられ、これら設定用スイッチ１２３及びスマートカードＩＦ１２４からそれぞれ入力される指令信号Ｓ１２２及びＳ１２３に応じて受信指令信号Ｓ１０３を送出するできるようになされている。
【００６５】
また、制御処理ユニット１２６は設定入力部１０６に設けられている表示装置１２５によって、リモコン受信機１２１、設定用スイッチ１２３及びスマートカードインタフェイス１２４からの入力信号の内容を表示装置１２５に表示することにより、ユーザに提示できるようになされている。
【００６６】
以上の構成において、ユーザが設定入力部１０６のリモコン受信機１２１、設定用スイッチ１２３又はスマートカードインタフェイス１２４を介して受信しようとするチャンネルを指定したとき、これに応じて制御処理ユニット１２１から送出される受信指令信号Ｓ１０３に応じて受信ユニット１１５のチューナ部１１２、ＯＦＤＭ復調部１１３及びＭＰＥＧデコード部１１４が応動動作することにより、チューナ部１１２がアンテナ１０２から受信した地上波ディジタルテレビジョン信号Ｓ１０１から当該指定された地上波ディジタルテレビジョンチャンネルのディジタルテレビジョン信号Ｓ１１１に同調すると共にＯＦＤＭ復調部１１５及びＭＰＥＧデコード部１１４が復調動作をすることにより、受信ユニット１１５から復調テレビジョン信号Ｓ１１３を得る。
【００６７】
この復調テレビジョン信号Ｓ１１３は、ＮＴＳＣ変換部１１６においてＮＴＳＣ標準テレビジョン方式のＮＴＳＣ信号Ｓ１１４に変換されると共に、シンセサイザ１１８から送出される搬送波信号Ｓ１１５（その周波数は受信指令信号Ｓ１０３によって指定されたチャンネルのアナログテレビジョン周波数になっている）によって変調し、かくして得られた変換アナログ受信信号Ｓ１０２がアナログテレビジョンセット１０４に与えられる。
【００６８】
従ってアナログテレビジョンセット１０４は、ユーザが設定入力部１０５によって選局指定したチャンネルを選局すれば、選局されたチューナによって変換アナログ受信信号Ｓ１０２が受信されることによりユーザが視聴することができる。
【００６９】
以上の構成によれば、地上波ディジタルテレビジョン信号Ｓ１０１を受信ユニット１１５に受信して復調テレビジョン信号Ｓ１１３を得たとき、この復調テレビジョン信号Ｓ１１３を直接アナログテレビジョンセット１０４に入力しても、当該復調テレビジョン信号Ｓ１１３を受信することができないのに対して、復調テレビジョン信号Ｓ１１３をＮＴＳＣ変換部１１６及び変調器部１１７によって既存型のアナログ受信信号の方式をもつ変換アナログ受信信号Ｓ１０２をアナログテレビジョンセット１０４に与えることができることにより、地上波ディジタルテレビジョン信号を既存型のアナログテレビジョンセット１０４によって受信できる地上波ディジタルテレビジョン受信装置１０１を実現し得る。
【００７０】
（７）第７の実施の形態
図１０は第７の実施の形態を示すもので、図９との対応部分に同一符号を付して示すように、図９において、変調器部１１７で得た変換アナログ受信信号Ｓ１０２を直接アナログテレビジョンセット１０４に出力することに代えて、図１０の場合は、当該変換アナログ受信信号Ｓ１０２を混合器部１２０に与える。
【００７１】
混合器部１２０には、外部接続端子Ｔ１０３を介して外部アナログ信号Ｓ１２０が与えられ、この外部アナログ信号Ｓ１２０と変換アナログ受信信号Ｓ１０２とを混合してなる混合出力信号Ｓ１２１を外部接続端子Ｔ１０２を介してアナログテレビジョンセット１０４に供給する。
【００７２】
図１０の構成において、外部接続端子Ｔ１０１に入力された地上波ディジタルテレビジョン信号Ｓ１０１は、受信ユニット１１５、ＮＴＳＣ変換部１１６を介して変調器部１１７によって得られたＮＴＳＣ標準テレビジョン方式の既存型のアナログテレビジョン信号でなる変換アナログ受信信号Ｓ１０２に対して、同様のアナログテレビジョン信号でなる外部アナログ信号Ｓ１２０を混合してなる混合出力信号Ｓ１２１をアナログテレビジョンセット１０４に供給できるようなディジタルアナログコンバータ１０３を実現できる。
【００７３】
このディジタルアナログコンバータ１０３は、そのディジタルアナログコンバータ本体１０５を、図１１及び図１２に示すように、外部接続端子Ｔ１０２に得られる変換アナログ受信信号Ｓ１０２を多段縦続接続することにより、例えば学校や、マンションや、ホテルなどの中規模から大規模なシステム構成の地上ディジタルテレビジョン受信システム２０１を構築できる。
【００７４】
この地上ディジタルテレビジョン受信システム２０１は、図１０について上述したディジタル／アナログコンバータ本体１０５を有する４段のディジタル／アナログコンバータ１０３Ａ、１０３Ｂ、１０３Ｃ及び１０３Ｄを有し（図１０との対応部分に同一符号を付して示す）、図１０の設定入力部１０６と同様の構成を有する（対応部分に同一符号を付して示す）設定入力部２０２を４段のディジタル／アナログコンバータ１０３Ａ、１０３Ｂ、１０３Ｃ及び１０３Ｄに対して共通に設けた構成を有する。
【００７５】
４段のディジタル／アナログコンバータ１０３Ａ〜１０３Ｄの外部接続端子Ｔ１０１には、アンテナ２３に受けた地上ディジタルテレビジョン信号Ｓ２０１がブースタ２０４を介して入力される。
【００７６】
ディジタル／アナログコンバータ１０３Ａ〜１０３Ｄのチューナ１１２は地上ディジタルテレビジョン信号Ｓ２０１として周波数多重化されている各チャンネルの周波数にそれぞれ同調するように同調周波数が割り当てられ、これによりディジタル／アナログコンバータ１０３Ａ〜１０３ＤのＮＴＳＣ変換部１１６の出力端に、それぞれ割り当てられたチャンネルのＮＴＳＣ信号Ｓ１１４を得ることができるようになされている。
【００７７】
第１段、第２段及び第３段のディジタル／アナログコンバータ１０３Ａ、１０３Ｂ及び１０３Ｃの第２の外部接続端子Ｔ１０３には、それぞれ第２段、第３段及び第４段のディジタル／アナログコンバータ１０３Ｂ、１０３Ｃ及び１０３Ｄの外部接続端子Ｔ１０２に得られる混合出力信号Ｓ１２１が与えられる。
【００７８】
かくして、第４段のディジタル／アナログコンバータ１０３Ｄで受信されたチャンネルの変換アナログ受信信号が第３段のディジタル／アナログコンバータ１０３Ｃで受信されたチャンネルの変換アナログ受信信号と混合され、その混合出力が第２段のディジタル／アナログコンバータ１０３Ｂで受信された変換アナログ受信信号と混合され、さらにその混合出力が第１段ディジタル／アナログコンバータ１０３Ａで受信された変換アナログ受信信号と混合されて混合出力信号Ｓ２０２として当該第１段ディジタル／アナログコンバータ１０３Ａの外部接続端子Ｔ１０２から送出される。
【００７９】
この実施の形態の場合、第４段ディジタル／アナログコンバータ１０３Ｄの第２の外部接続端子Ｔ１０３には例えば外部ビデオテープレコーダ（ＶＴＲ）から再生された外部ＲＦ変調波入力Ｓ２０３が与えられることにより、第１段〜第４段ディジタル／アナログコンバータ１０３Ａ〜１０３Ｄで受信された変換アナログ受信信号と混合されて混合出力信号Ｓ２０２として送出される。
【００８０】
またこの実施の形態の場合、当該混合出力信号Ｓ２０２は分配器２０５において分配信号ＳＯ１、ＳＯ２……ＳＯＫとして外部に配設されたアナログテレビジョンセットに分配される。
【００８１】
以上の構成によれば、同じ構成を有する（従って同一構成の基板によって製作し得る第１段ないし第４段ディジタル／アナログコンバータ１０３Ａ〜１０３Ｄの出力端側に設けた混合器１２０によって各段に割り当てられたチャンネルのＮＴＳＣテレビジョン信号を混合してなる混合出力信号Ｓ２０２を容易に得ることができることにより、この混合出力信号Ｓ２０２を分配器２０５を介して、例えばマンションの各戸に配設された既存型のアナログテレビジョン受信器を用いて、共用のアンテナ２０３において受信した地上ディジタルテレビジョン信号Ｓ２０１を視聴することができるような地上波ディジタルテレビジョン受信システム２０１を実現できる。
【００８２】
かくするにつき既存型のＮＴＳＣテレビジョン信号を受信可能なアナログテレビジョンセットをそのまま使用することができる。
【００８３】
（８）第８の実施の形態
図１３は第８の実施の形態を示すもので、ユーザが既存型のテレビジョン受信器及び既存型のビデオテープレコーダを使用しているいわゆるデュアルチューナ構成のアナログテレビジョンシステムに適用して好適な構成を提案するものである。
【００８４】
図１３の地上波ディジタルテレビジョン受信装置１０１は、図１０との対応部分に同一符号又は同一符号に添字Ｘ及びＹを付して示すように、ディジタル／アナログコンバータ本体１０５Ａとして、外部接続端子Ｔ１０１Ｘに入力された地上波ディジタルテレビジョン信号Ｓ１０１から受信ユニット１１５Ｘにおいて復調テレビジョン信号Ｓ１１３Ｘを復調した後、ＮＴＳＣ変換部１１６Ｘ及び変調器部１１７Ｘによって変換アナログ受信信号Ｓ１０２Ｘを得る第１の信号処理系と、外部接続端子Ｔ１０１Ｙに入力された地上波ディジタルテレビジョン信号Ｓ１０１から受信ユニット１１５Ｙにおいて復調テレビジョン信号Ｓ１１３Ｙを復調した後、ＮＴＳＣ変換部１１６Ｙ及び変調器部１１７Ｙによって変換アナログ受信信号Ｓ１０２Ｙを得る第２の信号処理系とを有する。
【００８５】
この第１及び第２の信号処理系は、設定入力部１０６の制御処理ユニット１２１によって受信ユニット１１５Ｘ及び１１５Ｙによって受信すべきディジタルテレビジョンチャンネルを設定されると共に、シンセサイザ１１８Ｘ及び１１８Ｙにおいて発生された搬送波によって変調して変換アナログ受信信号Ｓ１０２Ｘ及びＳ１０２Ｙを得る。
【００８６】
かくして得られた２系列の変換アナログ受信信号Ｓ１０２Ｘ及びＳ１０２Ｙは混合器部１２０の前段の混合器１２０Ａにおいて混合され、その混合出力Ｓ１２１Ａが後段の混合器１２０Ｂにおいて第２の外部接続端子Ｔ１０３から得られる外部アナログテレビジョン信号Ｓ１２０と混合されて外部接続端子Ｔ１０２から混合出力信号Ｓ１２１として出力される。
【００８７】
かくして混合出力信号Ｓ１２１はチューナ部１１２Ｘから変調器部１１７Ｘまでの第１の信号処理系によって得られた第１の変換アナログ受信信号Ｓ１０２Ｘと、チューナ１１２Ｙから変調器部１１７Ｙまでの信号処理系において得られた変換アナログ受信信号Ｓ１０２Ｙとを含み、その一方を既存型のアナログディジタルテレビジョン信号によって受信すると共に、他方の変換アナログ受信信号を既存型のビデオテープレコーダにおいて記録できる（それぞれ対応するチャンネルのアナログテレビジョン変調信号に同調し得るチューナが設けられているから）ような地上波ディジタルテレビジョン受信装置１０１を実現できる。
【００８８】
これに加えて、既存型のアナログディジタルテレビジョンセット又は既存型のビデオテープレコーダには、外部接続端子Ｔ１０３から入力された外部アナログ信号Ｓ１２０をも受信し又は記録することができる。
【００８９】
図１３について上述したデュアルチューナ構成の地上波ディジタルテレビジョン受信装置１０３を適用して、家庭内にある既存型のビデオテープレコーダ（ＶＴＲ）やディジタルビデオディスク（ＤＶＤ）などの再生機器を使用して地上波ディジタルテレビジョン信号を視聴できるようにすることを目的として、図１４及び図１５に示すような地上波ディジタルテレビジョン受信システム２０９を実現できる。
【００９０】
この地上波ディジタルテレビジョン受信システム２０９は、デュアルチューナ構成の２段のディジタル／アナログコンバータ１０３Ｋ１及び１０３Ｋ２を有し、アンテナ２１０によって受信して地上ディジタルテレビジョン信号Ｓ１０１をブースタ２１１を介してディジタル／アナログコンバータ１０３Ｋ１及び１０３Ｋ２の外部接続端子Ｔ１０１Ｘ及びＴ１０１Ｙに入力する。
【００９１】
これと共に、第２段ディジタル／アナログコンバータ１０３Ｋ２と外部接続端子Ｔ１０２に得られる混合出力信号Ｓ１２１を第１段ディジタル／アナログコンバータ１０３Ｋ２の外部接続端子Ｔ１０３に外部アナログ信号Ｓ１２０として与える。
【００９２】
さらに第１段ディジタル／アナログコンバータ１０３Ｋ１の混合出力信号Ｓ１２１を外部接続端子Ｔ１０２から外部混合出力信号Ｓ１２３として既存型のビデオテープレコーダ２１２の入力端子Ｔ１０４に供給する。
【００９３】
この既存型のビデオテープレコーダ２１２は既存型のアナログテレビジョン信号のうち、各チャンネルに同調動作できるチューナを内蔵しており、これにより外部混合出力信号Ｓ１２３のうち、ユーザが選択したチャンネルのアナログテレビジョン信号を記録できる。
【００９４】
これと共に当該既存型のビデオテープレコーダ２１２は供給された外部混合出力信号Ｓ１２３を入力端子Ｔ１０２と出力端子Ｔ１０５に直接出力するように構成されており、これにより当該出力端子Ｔ１０５に得られる外部混合出力信号Ｓ１２３を既存型のアナログテレビジョンセット２１３に供給することにより、ユーザがこのアナログテレビジョンセット２１３のチューナにおいて同調したチャンネルを視聴できる。
【００９５】
この実施の形態の場合、第２段ディジタル／アナログコンバータ１０３Ｋ２の外部接続端子Ｔ１０３にはビデオテープレコーダ、ディジタルビデオディスクなどによって構成されている再生機器２１４の再生出力信号Ｓ１２４が供給され、これにより当該再生出力Ｓ１２４が第１段ディジタル／アナログコンバータ１０３Ｋ１の外部接続端子Ｔ１０２からの外部混合出力信号Ｓ１２３に含んで出力できるようになされている。
【００９６】
以上の構成において、アンテナ２１０によって受信した地上ディジタルテレビジョン信号Ｓ１０１から同時に２チャンネル分のディジタルテレビジョン信号を受信できるデュアルチューナ構成のディジタル／アナログコンバータ１０３Ｋ１及び１０３Ｋ２を２段縦続接続するようにしたことにより、受信した地上ディジタルテレビジョン信号Ｓ１０１のうちから選局した４チャンネル分のディジタルテレビジョン信号を既存型のアナログテレビジョン信号に変換して第１段ディジタル／アナログコンバータ１０３Ｋ１の外部接続端子Ｔ１０２に外部混合出力信号Ｓ１２３として出力することができることにより、当該受信した４チャンネル分のディジタルテレビジョン信号のうち、ユーザが任意に選局したチャンネルを、家庭内にある既存型のアナログビデオレコーダ２１２に記録できると共にアナログテレビジョンセット２１３において同時に視聴できるような地上波ディジタルテレビジョン受信システム２０９を実現できる。
【００９７】
（９）第９の実施の形態
図１６は第９の実施の形態を示すもので、地上波ディジタルテレビジョン信号を受信する例えば液晶などの大型テレビジョン受信装置を主体として、既存型のアナログテレビジョン信号を受信できるようなアナログテレビジョンセットや、記録再生機器を使用できるようにした地上波ディジタルテレビジョン受信システム３０１を提供する。
【００９８】
図１６の地上波ディジタルテレビジョン受信システム３０１は、ディジタルテレビジョン受信部３０３と、ディジタルテレビジョン記録部３０３と、ディジタル／アナログ変換部３０４と、アナログテレビジョン分配部３０５と、設定入力部３０６とを有する。
【００９９】
ディジタルテレビジョン受信部３０２は、アンテナ３１１によって受信した地上波ディジタルテレビジョン信号Ｓ３０１をブースタ３１２を介してチャンネル受信ユニット３１３Ａ、３１３Ｂ、３１３Ｃ、３１３Ｄ及び３１３Ｅの外部接続端子Ｔ３０１に与える。
【０１００】
各チャンネル受信ユニット３１３Ａ〜３１３Ｅは、外部接続端子Ｔ３０１に受けた地上波ディジタルテレビジョン信号Ｓ３０１から設定入力部３０６においてユーザによって選局されたチャンネルのディジタルテレビジョン信号をチューナ部３２１において同調してＯＦＤＭ復調部３２３においてＯＦＤＭ逆変換をすることによりＭＰＥＧ画像圧縮されたディジタルテレビジョン信号Ｓ３０２を得る。
【０１０１】
かくしてチャンネル受信ユニット３１３Ａ、３１３Ｂ、３１３Ｃ、３１３Ｄ及び３１３Ｅからそれぞれ得られるディジタルテレビジョン信号Ｓ３０２はＭＰＥＧデコード部３２４Ａ、３２４Ｂ、３２４Ｃ、３２４Ｄ及び３２４ＥにおいてＭＰＥＧ逆変換されることにより復調テレビジョン信号Ｓ３０３に復調され、当該復調テレビジョン信号Ｓ３０３がマルチプレクサ３２５に与えられる。
【０１０２】
マルチプレクサ３２５は、ユーザが設定入力部３０６から与える選局信号Ｓ３０４によって全受信チャンネルのうちから選局指定した１つのチャンネルに対応する復調テレビジョン信号Ｓ３０３を抽出して信号処理部３２６に与える。
【０１０３】
信号処理部３２６は与えられた復調テレビジョン信号Ｓ３０３をパネル表示ドライバ３２７を介して液晶パネルでなる表示パネル３２８に与えることにより当該選局されたテレビジョン信号をユーザに視聴させる。
【０１０４】
このようにディジタルテレビジョン受信部３０２は、受信した地上波ディジタルテレビジョン信号Ｓ３０１から各チャンネルの復調テレビジョン信号Ｓ３０３をチャンネル受信ユニット３１３Ａ〜３１３ＥとＭＰＥＧデコード部３２４Ａ〜３２４Ｅによって復調テレビジョン信号Ｓ３０３に復調した後、マルチプレクサ３２５において選局信号Ｓ３０４によって選局されたチャンネルの番組を表示パネル部３２８によって視聴できるようにする。
【０１０５】
かかる構成に加えて、地上波ディジタルテレビジョン受信システム３０１のディジタルテレビジョン記録部３０３は、チャンネル受信ユニット３１３Ａ〜３１３Ｅから得られる全チャンネルのディジタルテレビジョン信号Ｓ３０２を設定入力部３０６から供給される記録再生制御信号Ｓ３０５に基づいてディスクレコーダ３３０に記録する。
【０１０６】
このときディスクレコーダ３３０に与えられるディジタルテレビジョン信号Ｓ３０２はＭＰＥＧ方式で画像圧縮されたディジタル信号であるので、大量の全チャンネルのディジタルテレビジョン信号を記録することができる。
【０１０７】
このディスクレコーダ３３０に記録された全チャンネルのディジタルテレビジョン信号は、再生モード時、ユーザによる設定入力部３０６に対する設定操作に応じてディスクレコーダ３３０に与えられる記録再生制御信号Ｓ３０５によって選択されて再生され、ＭＰＥＧデコード部３３１においてＭＰＥＧ逆変換され、復調テレビジョン信号Ｓ３０６としてマルチプレクサ３２５に与えられ、マルチプレクサ３２５は当該復調テレビジョン信号Ｓ３０６を信号処理部３２６に与えることによりパネル表示ドライバ３２７を介して表示パネル部３２８に表示させる。
【０１０８】
このようにしてディジタルテレビジョン記録部３０３は、記録モード時ディスクレコーダ３３０に記録した地上波ディジタルテレビジョン信号Ｓ３０１に基づくディジタルテレビジョン信号Ｓ３０２から選局指定したディジタルテレビジョン番組を、表示パネル部３２８においてユーザに視聴させることができる。
【０１０９】
さらにこれに加えて地上波ディジタルテレビジョン受信システム３０１はディジタルテレビジョン受信部３０２から得られる復調テレビジョン信号Ｓ３０３を利用して、これをディジタル／アナログ変換部３０４を介してアナログテレビジョン分配器３０５に供給する。
【０１１０】
ディジタル／アナログ変換部３０４は地上波ディジタルテレビジョン信号Ｓ３０１に基づいてＭＰＥＧデコード部３２４Ａ〜３２４Ｅから得られる各チャンネルの復調テレビジョン信号Ｓ３０３をチャンネルごとに設けたＮＴＳＣ変換部３４１Ａ〜３４１Ｅにおいて受けてＮＴＳＣ標準方式のアナログテレビジョン信号に変換した後、変調器部３４２Ａ〜３４２Ｅにおいて各チャンネルに割り当てられた搬送波周波数によって変調する。
【０１１１】
かくして変調器部３４２Ａ〜３４２Ｅから得られる各チャンネルの変換アナログ受信信号Ｓ３１０は混合器部３４３において合成されて外部接続端子Ｔ３０２から外部混合出力信号Ｓ３１１としてアナログテレビジョン分配器３０５に出力される。
【０１１２】
この実施の形態の場合、ディジタルテレビジョン記録部３０３のディスクレコーダ３３０から再生されてＭＰＥＧデコード部３３１において復調された復調テレビジョン信号Ｓ３０６がマルチプレクサ３２５を介してディジタル／アナログ変換部３０４のＮＴＳＣ変換部３４４に供給され、そのＮＴＳＣ変換出力が変調器部３４５において当該再生されたチャンネルに割り当てられた搬送周波数で変調されて混合器部３４３に供給される。
【０１１３】
この結果混合器部３４３を介して外部接続端子Ｔ３０２から出力される外部混合出力信号Ｓ３１１として、ディジタルテレビジョン記録部３０３のディスクレコーダ３３０に記録されていたディジタルテレビジョン信号をも外部混合出力信号Ｓ３１１として出力できる。
【０１１４】
この実施の形態の場合、アナログテレビジョン分配器３０５は、ディジタル／アナログ変換部３０４の外部接続端子Ｔ３０２から出力される外部混合出力信号Ｓ３１１を分配器部３５０に受けて既存型のアナログテレビジョン機器、既存型のアナログテレビジョンセットに対して分配アナログテレビジョン信号Ｓ３１２Ａ、Ｓ３１２Ｂ……Ｓ３１２Ｋとして供給する。
【０１１５】
図１６の地上波ディジタルテレビジョン受信システム３０１によれば、アンテナ３１１に受信した地上波ディジタルテレビジョン信号Ｓ３０１を液晶パネルなどの大型テレビジョン受像機でなるディジタルテレビジョン受信部３０２及びディジタルテレビジョン記録部３０３の機能を利用して、当該ディジタルテレビジョン受信部３０２及びディジタルテレビジョン記録部３０３から得られる復調テレビジョン信号Ｓ３０３をディジタル／アナログ変換部３０４において既存型のＮＴＳＣアナログテレビジョン信号に変換して外部混合出力信号Ｓ３１１を得るようにしたことにより、当該外部混合出力信号Ｓ３１１を既存型のアナログテレビジョン機器、すなわち既存型のアナログテレビジョンセットや、既存型のアナログビデオテープレコーダなどの機器をそのまま使用して、地上波ディジタルテレビジョン信号Ｓ３０１をユーザがこれまで慣れ親しんできた操作方法によって視聴することができるような地上波ディジタルテレビジョン受信システム３０１を構築できる。
【０１１６】
（１０）テレビジョン信号の分配
図１７は、家庭内において、多数のアナログテレビジョン機器が、異なる部屋に配設されている場合に、図１１及び図１２に示す地上波ディジタルテレビジョン受信システム２０１を適用した場合に、各テレビジョン機器にアナログテレビジョン信号を分配する構成を示すものである。
【０１１７】
２階建の家屋４００の屋根に設置された地上ディジタルテレビジョン信号受信用のアンテナ２０３において受信された地上ディジタルテレビジョン信号Ｓ２０１は、ケーブルＬ１によってアナログ／ディジタルコンバータ１０３Ａ〜１０３Ｄに伝送される。
【０１１８】
この実施の形態の場合、アナログ／ディジタルコンバータ１０３Ａ〜１０３Ｄは分配器２０５と共通の筐体内に収納されて屋根裏に配設されている。
【０１１９】
かくしてアナログ／ディジタルコンバータ１０３Ａ〜１０３Ｄの出力間に得られる混合出力信号Ｓ２０２が同一筐体内にある分配器２０５に供給されることにより、当該分配器２０５が配設された屋根裏から各テレビジョン機器が配設された部屋まで布設されているケーブルを介して分配アナログテレビジョン信号が分配される。
【０１２０】
図１７の場合、２階の第１室に配設されたテレビジョン受像機４０１に対してケーブルＬ２を介して分配アナログテレビジョン信号ＳＯ１が伝送され、２階の第２部屋に配設されたビデオテープレコーダ４０２及びテレビジョン受像機４０３に対してケーブルＬ３によって分配アナログテレビジョン信号ＳＯ２が供給される。
【０１２１】
また１階の第１部屋に配設されたテレビジョン受像機４０４に屋根裏から２階を通って布設されたケーブルＬ４によって分配アナログテレビジョン信号ＳＯ３が供給され、同様にして１階の第２部屋に配設されたテレビジョン受像機４０５に対してケーブルＬ５によって分配アナログテレビジョン信号ＳＯ４が供給される。
【０１２２】
このような家屋４００の場合に、地上波ディジタルテレビジョン放送システムが施行開始される以前に、アナログテレビジョン放送を受信するために、アンテナから屋根裏に配設された分配器にケーブルが布設されていると共に、分配器から各部屋へのケーブルが布設されていたとすると、当該家屋４００に図１１及び図１２の地上波ディジタルテレビジョン受信システム２０１を適用する場合には、アンテナ２０３を地上波ディジタルテレビジョン放送受信用のアンテナに置き換えるだけで、既設のケーブルをそのまま利用して各部屋に配設されたアナログテレビジョン機器にアナログテレビジョン信号を供給することができる。
【０１２３】
因に図１７において、アンテナ２０３からアナログ／ディジタルコンバータ１０３Ａ〜１０３Ｄ及び分配器２０５までのケーブルＬ１はアナログテレビジョン放送を受信するために布設されていた既設のケーブルＬ１をそのまま利用できると共に、分配器２０５から各部屋のアナログ機器へのアナログテレビジョン信号の分配は、既設のケーブルＬ２〜Ｌ６をそのまま利用できる。
【０１２４】
かくして図１１の地上波ディジタルテレビジョン受信システム２０１によれば、アナログテレビジョン放送を受信していたとき使用していた設備を有効に利用しながら新たに放送される地上波ディジタルテレビジョン放送を簡便に受信することができる。
【０１２５】
図１８は図１６について上述した地上波ディジタルテレビジョン受信システム３０１を同じ家屋４００に適用した場合のテレビジョン信号の分配構成を示すもので、この場合には、地上波ディジタル放送受信用のアンテナ３１１から１階の第１部屋に配設されたディジタルテレビジョン受信部３０２への地上波ディジタルテレビジョン信号Ｓ３０１の伝送をケーブルＬ１３によって行う。
【０１２６】
かくしてディジタルテレビジョン受信部３０２と一体に設けられているディジタルテレビジョン記録部３０３及びディジタル／アナログ変換部３０４においてアナログ信号に変換されて得られる外部混合出力信号Ｓ３１１が１階の第１部屋から２階を通って屋根裏に配設された分配器３５０まで布設されたケーブルＬ１２によって伝送される。
【０１２７】
分配器３５０から各部屋のアナログ機器へのアナログテレビジョン信号Ｓ３１２Ａ、Ｓ３１２Ｂ及びＳ３１２Ｃの伝送は、それぞれケーブルＬ１３、Ｌ１４及びＬ１５によって行われる。
【０１２８】
図１７の構成においても、地上波ディジタルテレビジョン放送受信用のアンテナ３１１から１階の第１部屋までのケーブルＬ１１を新たに布設するだけで、他のケーブルＬ１２〜Ｌ１５についてはアナログテレビジョン放送波を受信するため布設されていた既設のものを利用できることにより、図１６の地上波ディジタルテレビジョン受信システム３０１によれば、簡便に地上波ディジタルテレビジョン信号を分配して視聴できる受信システムを構築することができる。
【産業上の利用可能性】
【０１２９】
本発明は地上波アナログ放送システムから地上波ディジタル放送システムへの切り換え時に利便性良く利用できる。
【図面の簡単な説明】
【０１３０】
【図１】本発明の一実施の形態による地上波ディジタルテレビジョン受信装置を示す略線的ブロック図である。
【図２】図１のディジタル／アナログコンバータの構成を示すブロック図である。
【図３】第２の実施の形態のディジタル／アナログコンバータの構成を示すブロック図である。
【図４】第３の実施の形態におけるディジタル／アナログコンバータを示すブロック図である。
【図５】第４の実施の形態による地上波ディジタルテレビジョン受信装置を示す略線的ブロック図である。
【図６】第５の実施の形態による地上波ディジタルテレビジョン受信装置を示す略線的ブロック図である。
【図７】図６の変形例を示す略線的ブロック図である。
【図８】図６の他の変形例を示す略線的ブロック図である。
【図９】第６の実施の形態による地上波ディジタルテレビジョン受信装置を示すブロック図である。
【図１０】第７の実施の形態による地上波ディジタルテレビジョン受信装置を示すブロック図である。
【図１１】図１０の適用例である地上波ディジタルテレビジョン受信システムの一部を示すブロック図である。
【図１２】図１０の適用例である地上波ディジタルテレビジョン受信システムの他部を示すブロック図である。
【図１３】第８の実施の形態による地上波ディジタルテレビジョン受信装置を示すブロック図である。
【図１４】図１３の適用例である地上波ディジタルテレビジョン受信システムの一部を示すブロック図である。
【図１５】図１３の適用例である地上波ディジタルテレビジョン受信システムの他部を示すブロック図である。
【図１６】第９の実施の形態による地上波ディジタルテレビジョン受信システムを示すブロック図である。
【図１７】図１１及び図１２の地上波ディジタルテレビジョン受信システムの適用例におけるテレビジョン信号の分配の説明に供する略線図である。
【図１８】図１６の地上波ディジタルテレビジョン受信システムの適用例におけるテレビジョン信号の分配の説明に供する略線図である。
【符号の説明】
【０１３１】
１……地上波ディジタルテレビジョン受信装置、２……アンテナ、３……ディジタル／アナログコンバータ、４……アナログテレビジョンセット、５……リモコン、６、７……リモコン受信機、１１……制御用ＣＰＵ、１２……プログラムメモリ、１３……バス、１４……ディジタル受信部、１５……ＯＦＤＭ復調部、１６……ＭＰＥＧデコード部、１７……アナログ変調部、２１……レコーダインタフェイフ、２２……ハードディスク装置、２３……ビデオ・オーディオ増幅部、２４……外部テレビジョン受像機、３１……リモコン送信機、３２……時計、３３……メモリ、３５Ａ〜３５Ｇ……チャンネル受信用ディジタル／アナログコンバータ、３６……混合器、３７……地上波ディジタルテレビジョン信号用フィルタ、３９Ａ、３９Ｂ……アナログテレビジョンセット、４０Ａ、４０Ｂ……ディジタルテレビジョンセット、４１Ａ、４１Ｂ……既存型リモコン、４２Ａ、４２Ｂ……ディジタル放送用リモコン、５１……録画部、５２……録画用ディジタル／アナログコンバータ、５３……タイマ付き録画用ディジタル／アナログコンバータ、５４……既存型リモコン、５５……ビデオテープレコーダ、５６……アナログテレビジョンセット、５７……変換アダプタ、１０１……地上波ディジタルテレビジョン受信装置、１０２……アンテナ、１０３、１０３Ａ〜１０３Ｄ、１０３Ｋ１、１０３Ｋ２……ディジタル／アナログコンバータ、１０４……アナログテレビジョンセット、１０５……ディジタル／アナログコンバータ本体、１０６……設定入力部、１１１……バス、１１２……チューナ部、１１３……ＯＦＤＭ復調部、１１４……ＭＰＥＧデコード部、１１５……受信ユニット、１１６……ＮＴＳＣ変換部、１１７……変調器部、１１８……シンセサイザ、１２０……混合器部、１２１……リモコン受信機、１２２……リモコン、１２３……設定用スイッチ、１２４……スマートカードインタフェイス、１２５……表示装置、１２６……制御ユニット、２０１……地上波ディジタルテレビジョン受信システム、２０２……設定入力部、２０３……アンテナ、２０４……ブースタ、２０５……分配器、２０９……地上波ディジタルテレビジョン受信システム、２１０……アンテナ、２１１……ブースタ、２１２……ビデオテープレコーダ、２１３……アナログテレビジョンセット、２１４……再生機器、３０１……地上波ディジタルテレビジョン受信システム、３０２……ディジタルテレビジョン受信部、３０３……ディジタルテレビジョン記録部、３０４……ディジタル／アナログ変換部、３０５……アナログテレビジョン分配部、３０６……設定入力部、３２１……チューナ部、３２３……ＯＦＤＭ復調部、３２４Ａ〜３２５Ｄ……ＭＰＥＧデコーダ部、３２５……マルチプレクサ、３２６……信号処理部、３２７……パネル表示ドライバ、３２８……表示パネル部、３３０……ディスクデコーダ、３３１……ＭＰＥＧデコード部、３４１Ａ〜３４１Ｅ……ＮＴＳＣ変換部、３４２Ａ〜３４２Ｅ……変調器部、３４３……混合器部、３５０……分配器、４００……家屋。
【図１】
2008160815.tif 000003
【図２】
2008160815.tif 000004
【図３】
2008160815.tif 000005
【図４】
2008160815.tif 000006
【図５】
2008160815.tif 000007
【図６】
2008160815.tif 000008
【図７】
2008160815.tif 000009
【図８】
2008160815.tif 000010
【図９】
2008160815.tif 000011
【図１０】
2008160815.tif 000012
【図１１】
2008160815.tif 000013
【図１２】
2008160815.tif 000014
【図１３】
2008160815.tif 000015
【図１４】
2008160815.tif 000016
【図１５】
2008160815.tif 000017
【図１６】
2008160815.tif 000018
【図１７】
2008160815.tif 000019
【図１８】
2008160815.tif 000020